(57)【要約】【課題】トナー収容部の排出口を開閉する際、収容部の内周面に対して摺動しながら排出口を開閉するシャッタで開閉する構成のものでは、摺動部を経由して排出口にトナーが漏れるという問題があった。【解決手段】クリーニングブレード９によって除去されたトナーを収容する収容部を有し、トナー排出口５１を備えた廃トナー収容部４２と、収容されたトナーを排出口５１に向けて搬送する搬送スプリング４と、排出口５１に対向して配置される円筒部６２とその外周面に配設されるシールスポンジ６５とを有し、回動可能に配置されて排出口５１を開閉するシャッタ６０とを有し、円筒部６２が、収容部内でトナーの搬送方向に延在し、排出口５１と対向可能な開口６２ｃと、この開口６２ｃよりもトナー搬送方向の上流側に、この開口６２ｃが形成された部分の外径よりも大きな外径の径大部６２ｂを備える。【選択図】図４
2016011998.tif 000002
【特許請求の範囲】
【請求項１】
像担持体に付着した現像剤を除去する現像剤除去部材と、
前記現像剤除去部材によって除去された現像剤を収容する収容部を有し、該収容部に、収容した前記現像剤を外部に排出する排出口を備えた廃現像剤収容部と、
前記収容部に収容された前記現像剤を前記排出口に向けて搬送する現像剤搬送部材と、
前記排出口に対向して配置される円筒部と該円筒部の外周面に配設されるシール部材とを有し、前記現像剤の搬送方向と平行な軸中心に回動可能に配置されて前記排出口を開閉するシャッタと
を有し、
前記円筒部は、前記収容部内で前記廃現像剤の搬送方向に延在し、前記排出口を開く際に該排出口に対向する開口と、該開口よりも前記搬送方向の上流側に、該開口が形成された部分の外径よりも大きな外径の径大部を有することを特徴とする現像装置。
【請求項２】
前記シャッタを、前記排出口を閉じる方向に付勢する付勢部材を備えたことを特徴とする請求項１記載の現像装置。
【請求項３】
前記廃現像剤収容部は、前記現像装置の枠体に形成されたことを特徴とする請求項１又は２記載の現像装置。
【請求項４】
前記シャッタは、前記円筒部を回動するための外力を受けるための係合部を備えたことを特徴とする請求項１乃至３の何れかに記載の現像装置。
【請求項５】
前記シール部材は、前記廃現像剤収容部と前記円筒部の間に介在し、前記径大部の領域の押し潰し量が他の領域の押し潰し量より大きいことを特徴とする請求項１乃至４の何れかに記載の現像装置。
【請求項６】
請求項１乃至５の何れかの現像装置を備えたことを特徴とする画像形成装置。
【発明の詳細な説明】
【技術分野】
【０００１】
本発明は、現像剤を使用する現像装置、及び画像形成装置に関し、特に現像剤の通過開口の開閉機構の構成に関する。
【背景技術】
【０００２】
従来、例えばトナー回収装置の排出口を開閉する際、円筒状に形成された収容部に形成された排出口を、この排出口に対向可能な開口を有して、収容部の周面に対して摺動しながら排出口を開閉するシャッタ部材を備える構成のものがあった（例えば、特許文献１参照）。
【先行技術文献】
【特許文献】
【０００３】
【特許文献１】特開２００８−２８６８２０号公報（第５頁、図４）
【発明の概要】
【発明が解決しようとする課題】
【０００４】
しかしながら排出口を閉じている状態であっても、摺動部における隙間を介して排出口から、収容部に収容されているトナーが外部に漏れるという問題があった。
【課題を解決するための手段】
【０００５】
本発明による現像装置は、
像担持体に付着した現像剤を除去する現像剤除去部材と、
前記現像剤除去部材によって除去された現像剤を収容する収容部を有し、該収容部に、収容した前記現像剤を外部に排出する排出口を備えた廃現像剤収容部と、
前記収容部に収容された前記現像剤を前記排出口に向けて搬送する現像剤搬送部材と、
前記排出口に対向して配置される円筒部と該円筒部の外周面に配設されるシール部材とを有し、前記現像剤の搬送方向と平行な軸中心に回動可能に配置されて前記排出口を開閉するシャッタとを有し、
前記円筒部は、前記収容部内で前記廃現像剤の搬送方向に延在し、前記排出口を開く際に該排出口に対向する開口と、該開口よりも前記搬送方向の上流側に、該開口が形成された部分の外径よりも大きな外径の径大部を有することを特徴とする。
【発明の効果】
【０００６】
本発明によれば、排出口を開閉するシャッタの回動負荷の増加を抑制しつつ、収容した現像剤が、閉じた状態の排出口から漏れるのを防止できる。
【図面の簡単な説明】
【０００７】
【図１】本発明を採用した実施の形態１の画像形成装置の要部構成を説明するための概略構成図である。
【図２】転写ローラ、転写ベルト、トナー現像が転写された記録用紙、及び露光装置と共に、ブラック（Ｋ）のイメージドラムユニットを模式的に示す概略構成図である。
【図３】イメージドラムユニットを斜め下方からみた外観斜視図である。
【図４】図３におけるトナー排出口を通るＡ−Ａ断面を同方向からみた断面図であり、（ａ）はトナー排出口を閉めた状態を示し、（ｂ）はトナー排出口を開けた状態を示す。
【図５】（ａ）はシャッタの外観斜視図であり、（ｂ）はシールスポンジを除いた回動部材の外観斜視図であり、（ｃ）はシールスポンジの外観斜視図である。
【図６】イメージドラムユニットを約９０°傾けた状態で、図３に示すトナー排出口の近傍を見た部分拡大図であり、（ａ）はトナー排出口を閉めた状態を示し、（ｂ）はトナー排出口を開けた状態を示している。
【発明を実施するための形態】
【０００８】
実施の形態１．
実施の形態１．
図１は、本発明を採用した実施の形態１の画像形成装置の要部構成を説明するための概略構成図である。
【０００９】
同図において、画像形成装置１００は、ブラック（Ｋ）、イエロー（Ｙ）、マゼンタ（Ｍ）、シアン（Ｃ）の４色を印刷可能なカラー用電子写真式プリンタとしての構成を備えている。内部には、用紙搬送ローラ対１６〜１９を有する概ね逆Ｓ字状の用紙搬送路１５が形成されており、この用紙搬送路１５の、上流側端部には記録用紙を収納する給紙カセット２０が配置され、下流側端部にはスタッカ２１が設けられている。
【００１０】
用紙搬送路１５には、ホッピングローラを有して給紙カセット２０から記録用紙を繰り出す用紙繰り出し部２２、記録用紙の紙厚を検知する検知部２６、繰り出された記録用紙を静電効果により転写ベルト１１に付着させて搬送する転写ベルトユニット２４、及びトナー画像を記録用紙に定着させる定着器２５が設けられている。
【００１１】
転写ベルトユニット２４とによって、転写ベルト１１に付着して矢印方向に搬送される記録用紙１３（図２）を挟む位置に、記録用紙の搬送方向上流側より順にブラック（Ｋ）、イエロー（Ｙ）、マゼンタ（Ｍ）、シアン（Ｃ）のトナー画像を形成する現像装置としてのイメージドラムユニット２３Ｋ，２３Ｙ，２３Ｍ，２３Ｃ（特に区別する必要がない場合はイメージドラムユニット２３と称す）が一列に、画像形成装置１００本体に対して着脱自在に配列され、各イメージドラムユニット２３には、それぞれ対応する色の現像剤としてのトナーを収容するトナーカートリッジ２７Ｋ，２７Ｙ，２７Ｍ，２７Ｃ（特に区別する必要がない場合はトナーカートリッジ２７と称す）が着脱自在に装着されている。尚、画像形成装置１００のイメージドラムユニット２３のように、着脱可能な或いは可動な構成要素の個々に対して、その構成要素を除いた部分を画像形成装置１００本体と称す場合がある。
【００１２】
画像形成装置１００は、例えばそのトップカバー３０を開けることで、トナーカートリッジ２７、イメージドラムユニット２３、定着器２５、及び転写ベルトユニット２４等を上下方向に移動させて、これらの交換を可能としている。
【００１３】
本実施の形態においては、各イメージドラムユニット２３及び各トナーカートリッジ２７の構成はそれぞれ同一であり、使用されるトナーの色のみが異なるため、ここではブラック（Ｋ）のイメージドラムユニット２３Ｋを例にとり、その内部構造を以下に説明する。
【００１４】
尚、図１中のＸ、Ｙ、Ｚの各軸は、記録用紙がイメージドラムユニット２３を通過する際の搬送方向にＸ軸をとり、後述する感光体ドラム１の回転軸方向にＹ軸をとり、これら両軸と直交する方向にＺ軸をとっている。また、後述する他の図においてＸ、Ｙ、Ｚの各軸が示される場合、これらの軸方向は、共通する方向を示すものとする。即ち、各図のＸＹＺ軸は、各図の描写部分が、図１に示す画像形成装置１００を構成する際の配置方向を示している。またここでは、Ｚ軸が略鉛直方向となるように配置されるものとする。
【００１５】
図２は、転写ローラ１２、転写ベルト１１、トナー現像が転写された記録用紙１３、及び露光装置３と共に、ブラック（Ｋ）のイメージドラムユニット２３Ｋを模式的に示す概略構成図である。
【００１６】
同図に示すように、イメージドラムユニット２３Ｋには、像担持体としての感光体ドラム１が矢印方向に回転可能に配置され、この感光体ドラム１の周囲には、その回転方向上流側から順に、感光体ドラム１の表面に一定の圧力で接触して電荷を供給して帯電させる帯電ローラ２、帯電された感光体ドラム１の表面に、例えばＬＥＤヘッド等の光源による光を印刷データに基づいて照射して静電潜像を形成する露光装置３が配設される。
【００１７】
更に、静電潜像が形成された感光体ドラム１の表面に、所定色（ここではブラック）のトナーを付着させて現像を発生させる現像部４１、感光体ドラム１上のトナー現像を記録用紙１３に転写した際に残留した転写残トナー３８を除去して、廃現像剤収容部としての廃トナー収容部４２に落下させる現像剤除去部材としてのクリーニングブレード９がロアフレーム１０に固定配設されている。このためクリーニングブレード９は弾性体で形成され、そのエッジ部が感光体ドラム１の表面に一定の圧力で接触するように配置されている。
【００１８】
廃トナー収容部４２は、ここでは、イメージドラムユニット２３Ｋの外筐の一部を構成する枠体としてのロアフレーム１０の内側下部に形成され、廃トナー収容部４２には、後述するように、収容された転写残トナー３８を、廃トナー収容部４２に形成されたトナー排出口５１（図３参照）に向けて搬送する現像剤搬送部材としての搬送スプリング４が回転自在に配設されている。
【００１９】
現像部４１は、上部に装着されたトナーカートリッジ２７Ｋ（図１）から供給されたトナーを貯蔵するトナー貯蔵部４５、感光体ドラム１に一定の圧力で接触する現像ローラ６、この現像ローラ６にトナーを供給するトナー供給ローラ７，８、現像ローラ６上のトナーを均一に薄層化する現像ブレード５を有し、現像ローラ６により、感光体ドラム１の表面に形成された静電潜像を薄層化されたトナーで顕像化、即ち現像する。
【００２０】
尚、イメージドラムユニット２３Ｋは、現像部４１の上方の装着部３３において、トナーカートリッジ２７Ｋ（図１）を着脱自在に配置するように構成されている。
【００２１】
現像ローラ６とトナー供給ローラ７，８とは、一定の圧力で当接するように、互いに平行に配置され、それぞれ同図に示される矢印の方向（同方向）に回転する。また、現像ブレード５と現像ローラ６とは、同図に示すように、例えば現像ブレード５の折り曲げ部分が現像ローラ６の周面に一定の圧力で接触するように、互いに平行に配置される。尚、これら各装置に用いられている回転体は、図示しない駆動源からギアなどを経由して動力が伝達されて回転する。
【００２２】
図１に示すように、上記した４つのイメージドラムユニット２３の各感光体ドラム１に対向する位置には、それぞれ導電性のゴム等によって形成された転写ローラ１２が、記録用紙１３（図２）を静電吸収して搬送する転写ベルト１１を介して圧接された状態で配設されている。これらの転写ローラ１２は、感光体ドラム１上のトナー現像を記録用紙１３（図２）に転写するが、この転写時に、これらの転写ローラ１２には、対応する感光体ドラム１の表面電位と間に所定の電位差を持たせるための電圧が印加される。
【００２３】
定着器２５は、内部に加熱ローラとバックアップローラとを有し、記録用紙１３（図２）上に転写された転写済みトナー１４を加圧・加熱することによって定着する。ここで定着された記録用紙１３は、後段の用紙搬送ローラ対１８，１９によって、記録用紙のスタッカ２１に搬送される。
【００２４】
以上の構成において、先ず画像形成装置１００の動作について図１を参照しながら説明する。
【００２５】
印刷が起動されると、画像形成装置１００は、図１に示す用紙繰り出し部２２によって、給紙カセット２０から記録用紙を繰り出し、この記録用紙を用紙搬送路１５に沿って下流側に搬送する。そして用紙搬送路の途中にあって、紙の厚さを検知する検知部２６にてこの記録用紙の紙厚を検知し、転写ベルトユニット２４で矢印方向に搬送する。この搬送過程で、イメージドラムユニット２３Ｋ，２３Ｙ，２３Ｍ，２３Ｃによって個々に形成した各色のトナー画像を、転写ローラ１２により記録用紙の記録面上に順次重ねて転写し、更に定着器２５によって転写したトナー画像を記録面上に定着し、定着済みの記録用紙をスタッカ２１へ搬送する。  
【００２６】
この時のイメージドラムユニット２３の動作について、図２を参照しながら以下に説明する。
【００２７】
イメージドラムユニット２３では、トナーカートリッジ２７（図１）から供給されたトナーをトナー供給ローラ７，８により現像ローラ６に供給し、現像ローラ６に供給したトナーを現像ブレード５により均一な厚さに均す。そして露光装置３によって、印刷データに基づいて感光体ドラム１上に形成された静電潜像を、均一化されたトナーによって顕像化、即ち現像する。感光体ドラム１上に形成されたトナー現像は、転写ローラ１２によって記録用紙１３に電気的に転写される。一方、記録用紙１３上に転写されず、感光体ドラム１表面に残った転写残トナー３８は、クリーニングブレード９により掻き取られ、廃トナー収容部４２に蓄積される。
【００２８】
次に、廃トナー収容部４２に形成されたトナー排出口５１と、これを開閉するシャッタ６０の構成について更に説明する。
【００２９】
図３は、イメージドラムユニット２３を斜め下方からみた外観斜視図であり、図４は、図３におけるトナー排出口５１を通るＡ−Ａ断面を同方向からみた断面図である。尚、図４において、（ａ）はトナー排出口５１が閉じた状態を示し、（ｂ）はトナー排出口５１が開いた状態を示している。
【００３０】
ロアフレーム１０に形成された廃トナー収容部４２は、感光体ドラム１の軸方向（Ｙ軸方向）に沿って、感光体ドラム１の周面にその軸方向の全領域にわたって接して配置されたクリーニングブレード９（図２）に対向して形成され、クリーニングブレード９によって掻き取った転写残トナー３８を受けるトナー受け部４３（図２）と、感光体ドラム１の周面の軸方向の領域外に延在して、円筒状に形成されたトナー排出部４４（図４）とを有する。尚、トナー受け部４３とトナー排出部４４とが、トナーを収容する収容部に相当する。
【００３１】
トナー排出部４４には、外部に通ずる排出口としてのトナー排出口５１が鉛直下方に形成されている。廃トナー収容部４２に配設された搬送スプリング４（図２）は、廃トナー収容部４２の内部で感光体ドラム１の軸方向（Ｙ軸方向）に延在し、軸回転することによって、廃トナー収容部４２のトナー受け部４３に落下した転写残トナー３８（図２）を、トナー排出部４４のトナー排出口５１に向けて搬送する。
【００３２】
トナー排出部４４には、内部において円筒状に形成されてその内周面にトナー排出口５１を有するシャッタ摺動部４４ａが形成され、このシャッタ摺動部４４ａには、シャッタ６０の円筒部６２（図５（ｂ））が摺動可能に嵌入している。
【００３３】
図５（ａ）はシャッタ６０の外観斜視図であり、同図（ｂ）はシールスポンジ６５を除いた回動部材６１の外観斜視図であり、同図（ｃ）はシールスポンジ６５の外観斜視図である。
【００３４】
図５（ａ）に示すシャッタ６０は、図５（ｂ）に示すように、中空の円筒部６２とレバー部６３とを有する回動部材６１と、この回動部材６１に装着されるシール部材としてのウレタンフォーム製のシールスポンジ６５とからなる。
【００３５】
円筒部６２は、レバー部６３に連設して形成され、開口６２ｃが形成された径小部６２ａとこの径小部６２より先端側（レバー部６３とは反対側）にあって、径小部６２ａより外径が大きい径大部６２ｂとを備えている。この開口６２ｃは、後述するようにシャッタ６０が廃トナー収容部４２のトナー排出部４４に装着される段階で、そのトナー排出口５１と対向可能な位置に形成されている。径小部６２ａと径大部６２ｂは、中空の内周面においては面一となっている。
【００３６】
レバー部６３は、シャッタ６０の回動軸となる軸部６３ａとシャッタ６０が回動するさいに外部から力を受けるための係合部６３ｂを備えている。
【００３７】
図５（ｃ）に示すように、シールスポンジ６５は、ここでは円筒状に形成されその内径は、回動部材６１の径小部６２ａの外径よりも少し小さめに形成され、円筒部には開口６５ａが形成されている。更にシールスポンジ６５は、図５（ａ）に示すように回動部材６１の円筒部６２ａを覆うように装着されるとき、やや張力を生じた状態で装着される。このとき、シールスポンジ６５は、円筒部６２の外周面に固定される必要があるため、例えば両面接着テープを介在して固定することが好ましい。
【００３８】
シールスポンジ６５は、このとき、その開口６５ａと回動部材６１の開口６２ｃとが重なり、その外周面において、回動部材６１の径小部６２ａと径大部６２ｂの影響を受けて僅かに段差が生じるように形状及び厚みが考慮されている。
【００３９】
尚、ここでは、シールスポンジ６５を円筒状に形成したが、帯状に形成して、回動部材６１の円筒部６２に、両面接着剤を介して巻きつけるように形成してもよい。
【００４０】
シャッタ６０の円筒部６２は、図４の断面図に示すように、廃トナー収容部４２のトナー排出部４４のシャッタ摺動部４４ａに嵌入し、円筒部６２の内周面６２ｄとトナー排出部４４の内周面４４ｂとが面一となり、シールスポンジ６５が、シャッタ６０の円筒部６２とトナー排出部４４のシャッタ摺動部４４ａとの間にあって、所定量押し潰されて圧縮した状態となるように各部の寸法が考慮されているものとする。またシャッタ６０は、図４に示すように、その径大部６２ｂが、トナー排出部４４のトナー排出口５１より廃トナーの搬送方向（矢印Ｄ方向）における上流側に位置している。
【００４１】
更に図４に示すように、シールスポンジ６５の押し潰し量（圧縮量）は、必然的に、円筒部６２の径小部６２ａよりも径大部６２ｂの領域で大きくなっている。一方、シャッタ６０のレバー部６３の軸部６３ａは、ロアフレーム１０に形成された軸受孔１０ａに嵌入して回動自在に保持されている。これにより、シャッタ６０は、その円筒部６２がシャッタ摺動部４４ａに嵌入した状態で、シャッタ摺動部４４ａの内周面とシールスポンジ６５とが摺動しながら、軸部６３ａを中心として回動可能となっている。
【００４２】
図４（ａ）は、シャッタ６０の回動位置が、その径小部６２ａの周面がトナー排出部４４のトナー排出口５１を塞いて、トナー排出口５１を閉じる閉位置にある状態を示し、図４（ｂ）は、シャッタ６０の回動位置が、径小部６２ａの開口６２ｃがトナー排出部４４のトナー排出口５１と重なって、トナー排出口５１を開く開位置にある状態を示す。
【００４３】
更にシャッタ６０は、そのレバー部６３とロアフレーム１０との間に架けられた付勢部材としてのトーションスプリング６７によって、図４（ａ）に示す閉位置に向かう矢印Ｂ方向に付勢され、図示しない規制手段によって、この閉位置を維持するように構成されている。
【００４４】
図６は、イメージドラムユニット２３を約９０°傾けた状態で、図３に示すトナー排出口５１の近傍を見た部分拡大図である。尚、図６において、（ａ）はトナー排出口５１を閉めた状態を示し、（ｂ）はトナー排出口５１を開けた状態を示している。
【００４５】
従って、図４（ａ）及び図６（ａ）に示すように、シャッタ６０が閉位置にあってトナー排出口５１が閉じられている状態から、トーションスプリング６７による付勢に抗して、例えば図６（ａ）に示すレバー部６３の係合部６３ｂを、これに係合する部材によって矢印Ｃ方向に回動し、図４（ｂ）及び図６（ｂ）に示すように、シャッタ６０を開位置まで回動することによって、トナー排出口５１を開いた状態とすることができる。
【００４６】
以上のように構成されたイメージドラムユニット２３は、例えば画像形成装置１００本体から外れて単体で存在するとき、シャッタ６０がトーションスプリング６７によって閉位置に付勢されてトナー排出口５１が閉じた状態となり、画像形成装置１００本体に装着されると、その装着過程で画像形成装置１００本体に配設された図示しない被係合部がシャッタ６０の係合部６３ｂと係合して矢印Ｃ方向に回動し、装着が完了する段階で開位置まで回動し、トナー排出口５１が開いた状態となる。
【００４７】
この状態で、廃トナー収容部４２のトナー受け部４３に落下した転写残トナー３８（図２）は、搬送スプリング４によってトナー排出部４４のトナー排出口５１まで搬送され、トナー排出口５１から順次、画像形成装置１００本体に配設された所定の廃トナー格納部に落下する。
【００４８】
再びイメージドラムユニット２３が画像形成装置１００本体から外されると、その過程で、レバー部６３の係合部６３ｂと画像形成装置１００本体に配設された図示しない被係合部との係合状態が解除される段階で、トーションスプリング６７の付勢力によってシャッタ６０が閉位置に付勢され、トナー排出口５１が再び閉じた状態となる。
【００４９】
尚、本実施の形態では、トップカバー３０を開放して、トナーカートリッジ２７及びイメージドラムユニット２３を上下方向（Ｚ軸方向）に着脱する構成の画像形成装置１００を示したが、本発明はこれに限定されるものではなく、例えば、図１において、Ｙ軸に沿って、手前側（Ｙ軸のプラス側）からトナーカートリッジ２７及びイメージドラムユニット２３をスライドさせて、本体に対して着脱させるように構成したものであっても良いなど、種々の態様と取りえるものである。
【００５０】
以上のように、本実施の形態のイメージドラムユニット２３によれば、廃トナー収容部４２のトナー排出部４４のシャッタ摺動部４４ａとシャッタ６０の円筒部６２の隙間が、押し潰された（圧縮された）シールスポンジ６５によって塞がれ、更にトナー排出口５１の、トナー搬送方向の上流側に、押し潰し量（圧縮量）の大きい領域が存在するため、トナー排出口５１が閉じられている状態で、廃トナー収容部４２内の廃トナーが漏れるのを防止することができる。  
【００５１】
またトナー排出部４４のシャッタ摺動部４４ａとシールスポンジ６５との摺動領域において、シールスポンジ６５の押し潰し量（圧縮量）の大きい領域が一部（径大部６２ｂ）に限定されるため、これによってシャッタ６０を回動してトナー排出口５１を開閉する際の回動負荷が大きくなるのが抑制され、例えばシャッタ６０がトーションスプリング６７の付勢力によってトナー排出口５１を閉じる動作を円滑に維持することが可能となる。
【産業上の利用可能性】
【００５２】
本実施の形態では画像形成装置としてカラープリンタを用いて説明したが、単色プリンタ、複写機、ＦＡＸ、更にこれらを複合させた複合機等にも適用可能である。
【符号の説明】
【００５３】
１  感光体ドラム、  ２  帯電ローラ、  ３  露光装置、  ４  搬送スプリング、  ５  現像ブレード、  ６  現像ローラ、  ７  トナー供給ローラ、  ８  トナー供給ローラ、  ９  クリーニングブレード、  １０  ロアフレーム、  １０ａ  軸受孔、  １１  転写ベルト、  １２  転写ローラ、  １３  記録用紙、  １４  転写済みトナー、  １５  用紙搬送路、  １６  用紙搬送ローラ対、  １７  用紙搬送ローラ対、  １８  用紙搬送ローラ対、  １９  用紙搬送ローラ対、  ２０  給紙カセット、  ２１  スタッカ、  ２２  用紙繰り出し部、  ２３  イメージドラムユニット、  ２４  転写ベルトユニット、  ２５  定着器、  ２６  検知部、  ２７  トナーカートリッジ、  ３０  トップカバー、  ３３  装着部、  ３８  転写残トナー、  ４１  現像部、  ４２  廃トナー収容部、  ４３  トナー受け部、  ４４  トナー排出部、  ４４ａ  シャッタ摺動部、  ４５  トナー貯蔵部、  ５１  トナー排出口、  ６０  シャッタ、  ６１  回動部材、  ６２  円筒部、  ６２ａ  径小部、  ６２ｂ  径大部、  ６２ｃ  開口、  ６２ｄ  内周面、  ６３  レバー部、  ６３ａ  軸部、  ６３ｂ  係合部、  ６５  シールスポンジ、  ６５ａ  開口、  ６７  トーションスプリング、  １００  画像形成装置。
【図１】
2016011998.tif 000003
【図２】
2016011998.tif 000004
【図３】
2016011998.tif 000005
【図４】
2016011998.tif 000006
【図５】
2016011998.tif 000007
【図６】
2016011998.tif 000008